(57)【要約】【課題】  たとえ差出人の正当性が確認できた場合であっても、悪意のある郵便物や本来不要なダイレクトメール等が受取人に配達されることを防止する。【解決手段】差出人端末が配送情報を生成する手段と、配送情報を配送物の記録媒体に記録する手段と、配送管理サーバに配送情報を送信する手段とを備え、配送管理サーバが、管理テーブルと、受信した配送情報を管理テーブルと照合して結果を送信する手段と、受取人端末から受信した情報により管理テーブルを書き換える手段とを備え、受取人端末が、配送物の記録媒体から情報を読み取る手段と、配送物が不要な配送物であったときに、配送管理サーバにその旨を送信する手段とを備え、配送管理端末が、記配送物の記録媒体から情報を読み取る手段と、読取った情報を配送管理サーバに送信する手段と、配送管理サーバから受信した情報に基づいて配送物の配送を制御する手段とを備える。【選択図】      図７
2006244346.tif 000002
【特許請求の範囲】
【請求項１】
差出人端末と、受取人端末と、配送管理端末と、配送管理サーバとからなる配送物のフィルタリングシステムであって、
前記差出人端末が、
差出人に関する情報に基づいて、配送情報を生成する配送情報生成手段と、
該配送情報を配送物に貼付された記録媒体に記録する配送情報記録手段と、
前記配送管理サーバに前記配送情報を送信する配送情報送信手段とを備え、
前記配送管理サーバが、
前記配送情報と配送の許可あるいは不許可情報とを関連づけて記憶する管理テーブルと、
前記配送管理端末から受信した配送情報を該管理テーブルと照合して配送管理情報を送信する配送管理情報送信手段と、
前記受取人端末から受信した情報に基づいて、前記管理テーブルの情報を書き換えるテーブル情報書換手段とを備え、
前記受取人端末が、
前記配送物に貼付された記録媒体から前記配送情報を読み取る読取手段と、
前記配送物が不要な配送物であったときに、前記配送管理サーバに配送不要情報を送信する配送不要情報送信手段とを備え、
前記配送管理端末が、
前記配送物に貼付された記録媒体から前記配送情報を読み取る読取手段と、
該読取った配送情報を前記配送管理サーバに送信する読取情報送信手段と、
前記配送管理サーバから受信した前記配送管理情報に基づいて配送物の配送の是非を表示する配送是非表示手段、もしくは、前記配送管理サーバから受信した前記配送管理情報に基づいて配送物に貼付された記録媒体に記録する配送是非記録手段と、
を備えたことを特徴とする配送物のフィルタリングシステム。
【請求項２】
差出人端末と、受取人端末と、配送管理端末と、配送管理サーバとからなる配送物のフィルタリングシステムであって、
前記差出人端末が、
差出人に関する情報に基づいて、配送情報を生成する配送情報生成手段と、
該配送情報を配送物に貼付された記録媒体に記録する配送情報記録手段と、
前記配送管理サーバおよび前記受取人端末に前記配送情報を送信する配送情報送信手段とを備え、
前記配送管理サーバが、
前記配送情報と配送の許可あるいは不許可情報とを関連づけて記憶する管理テーブルと、
前記配送管理端末から受信した配送情報を該管理テーブルと照合して配送管理情報を送信する配送管理情報送信手段と、
前記受取人端末から受信した情報に基づいて、前記管理テーブルの情報を書き換えるテーブル情報書換手段とを備え、
前記受取人端末が、
前記送信者端末から前記配送情報を受信する配送情報受信手段と、
前記配送物に貼付された記録媒体から前記配送情報を読み取る読取手段と、
該読取った配送情報および受信した配送情報に基づいて前記配送物の配送の是非の入力を受け付ける配送物受取入力手段と、
該配送の是非を前記配送管理サーバに配送の是非を送信する配送是非送信手段と、
前記配送管理端末が、
前記配送物に貼付された記録媒体から前記配送情報を読み取る読取手段と、
該読取った配送情報を前記配送管理サーバに送信する読取情報送信手段と、
前記配送管理サーバから受信した前記配送管理情報に基づいて配送物の配送の是非を表示する配送是非表示手段、もしくは、前記配送管理サーバから受信した前記配送管理情報に基づいて配送物に貼付された記録媒体に記録する配送是非記録手段と、
を備えたことを特徴とする配送物のフィルタリングシステム。
【請求項３】
差出人端末と、配送情報検出装置と、受取人端末と、配送管理端末と、配送管理サーバとからなる配送物のフィルタリングシステムであって、
前記差出人端末が、
差出人に関する情報に基づいて、配送情報を生成する配送情報生成手段と、
該配送情報を配送物に貼付された記録媒体に記録する配送情報記録手段と、
前記配送管理サーバに前記配送情報を送信する配送情報送信手段とを備え、
前記配送情報検出装置が、
前記配送物に貼付された記録媒体から前記配送情報を読み出す配送情報読出手段と、
該読み出した配送情報を前記配送管理サーバに送信する読出情報送信手段とを備え、
前記配送管理サーバが、
前記配送情報と配送の許可あるいは不許可情報とを関連づけて記憶する管理テーブルと、
前記配送情報検出装置から受信した前記配送情報を該管理テーブルと照合して配送管理情報を前記配送管理端末に送信する配送管理情報送信手段と、
前記受取人端末から受信した情報に基づいて、前記管理テーブルの情報を書き換えるテーブル情報書換手段とを備え、
前記受取人端末が、
前記配送物に貼付された記録媒体から前記配送情報を読み取る読取手段と、
前記配送物が不要な配送物であったときに、前記配送管理サーバに配送不要情報を送信する配送不要情報送信手段とを備え、
前記配送管理端末が、
前記配送管理サーバから受信した前記配送管理情報に基づいて配送物の配送の是非を表示する配送是非表示手段、もしくは、前記配送管理サーバから受信した前記配送管理情報に基づいて配送物に貼付された記録媒体に記録する配送是非記録手段と、
を備えたことを特徴とする配送物のフィルタリングシステム。
【請求項４】
差出人端末と、配送情報検出装置と、受取人端末と、配送管理端末と、配送管理サーバとからなる配送物のフィルタリングシステムであって、
前記差出人端末が、
差出人に関する情報に基づいて、配送情報を生成する配送情報生成手段と、
該配送情報を配送物に貼付された記録媒体に記録する配送情報記録手段と、
前記配送管理サーバおよび前記受取人端末に前記配送情報を送信する配送情報送信手段とを備え、
前記配送情報検出装置が、
前記配送物に貼付された記録媒体から前記配送情報を読み出す配送情報読出手段と、
該読み出した配送情報を前記配送管理サーバに送信する読出情報送信手段とを備え、
前記配送管理サーバが前記配送情報と配送の許可あるいは不許可情報とを関連づけて記憶する管理テーブルと、
前記配送情報検出装置から受信した前記配送情報を該管理テーブルと照合して配送管理情報を送信する送信手段と、
前記受取人端末から受信した情報に基づいて、前記管理テーブルの情報を書き換えるテーブル情報書換手段とを備え、
前記受取人端末が、
前記送信者端末から前記配送情報を受信する配送情報受信手段と、
前記配送物に貼付された記録媒体から前記配送情報を読み取る読取手段と、
該読取った配送情報および受信した配送情報に基づいて前記配送物の配送の是非の入力を受け付ける配送物受取入力手段と、
該配送の是非を前記配送管理サーバに配送の是非を送信する配送是非送信手段と、
前記配送管理端末が、
前記配送管理サーバから受信した前記配送管理情報に基づいて配送物の配送の是非を表示する配送是非表示手段、もしくは、前記配送管理サーバから受信した前記配送管理情報に基づいて配送物に貼付された記録媒体に記録する配送是非記録手段と、
を備えたことを特徴とする配送物のフィルタリングシステム。
【請求項５】
前記差出人端末が前記配送情報送信手段の送信を制御する送信制御手段をさらに備え、
前記受取人端末から前記配送管理サーバに特定の差出人からの配送物に関して、すべての配送を停止するような情報が送信されたときには、前記送信管理サーバが前記特定の差出人に係る前記差出人端末の送信制御手段に配送情報の送信停止を指示することを特徴とする請求項２または請求項４に記載された配送物のフィルタリングシステム。
【請求項６】
前記配送情報検出装置が、郵便ポスト内に設けられていることを特徴とする請求項３または請求項４に記載された配送物のフィルタリングシステム。
【請求項７】
前記差出人端末が携帯電話端末であることを特徴とする請求項１から請求項６のいずれかに記載された配送物のフィルタリングシステム。
【請求項８】
前記受取人端末が携帯電話端末であることを特徴とする請求項１から請求項６のいずれかに記載された配送物のフィルタリングシステム。
【請求項９】
少なくとも差出人端末と、受取人端末とからなる配送物のフィルタリングシステムに用いられる通信端末であって、
該通信端末の加入者識別情報に基づいて配送情報を生成する配送情報生成手段と、
該配送情報を配送物に貼付された記録媒体に記録する配送情報記録手段と、
該配送情報を前記受取人端末に送信する送信手段とを備えたことを特徴とする通信端末。
【請求項１０】
少なくとも差出人端末と、受取人端末と、配送管理サーバとからなる配送物のフィルタリングシステムに用いられる通信端末であって、
前記差出人端末から配送情報を受信する受信手段と、
該受信した配送情報に基づいて、配送物の受領の是非を判断する判断手段と、
該判断の結果を前記配送管理サーバに送信する送信手段とを備えたことを特徴とする通信端末。
【請求項１１】
差出人端末と、受取人端末と、配送管理端末と、配送管理サーバとからなるシステムにおいて用いられる配送物のフィルタリング方法であって、
前記差出人端末が、差出人に関する情報に基づいて、配送情報を生成するステップと、
該配送情報を配送物に貼付された記録媒体に記録するステップと、
前記配送管理サーバに前記配送情報を送信するステップと、
前記配送管理端末が、前記配送物に貼付された記録媒体から前記配送情報を読み取るステップと、
該読取った配送情報を前記配送管理サーバに送信するステップと、
前記配送管理サーバが、前記配送情報と配送の許可あるいは不許可情報とを関連づけて記憶する管理テーブルを有し、前記配送管理端末から受信した前記配送情報を該管理テーブルと照合して配送管理情報を前記配送管理端末に送信するステップと、
前記配送管理端末が、前記配送管理サーバから受信した前記配送管理情報に基づいて配送物の配送を制御するステップと、
前記受取人端末が、前記配送物に貼付された記録媒体から前記配送情報を読み取るステップと、
前記配送物が不要な配送物であったときに、前記配送管理サーバに配送不要情報を送信するステップと、
前記配送管理サーバが、前記受取人端末から受信した情報に基づいて、前記管理テーブルの情報を書き換えるステップと、
を備えたことを特徴とする配送物のフィルタリング方法。
【請求項１２】
差出人端末と、受取人端末と、配送管理端末と、配送管理サーバとからなるシステムに用いられる配送物のフィルタリング方法であって、
前記差出人端末が、差出人に関する情報に基づいて、配送情報を生成するステップと、
該配送情報を配送物に貼付された記録媒体に記録するステップと、
前記配送管理サーバおよび前記受取人端末に前記配送情報を送信するステップと、
前記配送管理端末が、前記配送物に貼付された記録媒体から前記配送情報を読み取るステップと、
該読取った配送情報を前記配送管理サーバに送信するステップと、
前記配送管理サーバが、前記配送情報と配送の許可あるいは不許可情報とを関連づけて記憶する管理テーブルを有し、前記配送管理端末から受信した前記配送情報を該管理テーブルと照合して配送管理情報を前記配送管理端末に送信するステップと、
前記配送管理端末が、前記配送管理サーバから受信した前記配送管理情報に基づいて配送物の配送を制御するステップと、
前記受取人端末が、前記送信者端末から前記配送情報を受信するステップと、
前記配送物に貼付された記録媒体から前記配送情報を読み取るステップと、
前記受信した配送情報および読取った配送情報から、配送された前記配送物が不要な配送物であったときに、前記配送管理サーバに配送不要情報を送信するステップと、
前記配送管理サーバが、前記受取人端末から受信した情報に基づいて、前記管理テーブルの情報を書き換えるステップと、
を備えたことを特徴とする配送物のフィルタリング方法。
【請求項１３】
差出人端末と、配送情報検出装置と、受取人端末と、配送管理端末と、配送管理サーバとからなるシステムにおいて用いられる配送物のフィルタリング方法であって、
前記差出人端末が、差出人に関する情報に基づいて、配送情報を生成するステップと、
該配送情報を配送物に貼付された記録媒体に記録するステップと、
前記配送管理サーバに前記配送情報を送信するステップと、
前記配送情報検出装置が、前記配送物に貼付された記録媒体から配送情報を読み出すステップと、
該読取った配送情報を前記配送管理サーバに送信するステップと、
前記配送管理サーバが、前記配送情報と配送の許可あるいは不許可情報とを関連づけて記憶する管理テーブルを有し、前記配送管理端末から受信した配送情報を該管理テーブルと照合して配送管理情報を前記配送管理端末に送信するステップと、
前記配送管理端末が、前記配送管理サーバから受信した前記配送管理情報に基づいて配送物の配送を制御するステップと、
前記受取人端末が、前記配送物に貼付された記録媒体から前記配送情報を読み取るステップと、
前記配送物が不要な配送物であったときに、前記配送管理サーバに配送不要情報を送信するステップと、
前記配送管理サーバが、前記受取人端末から受信した情報に基づいて、前記管理テーブルの情報を書き換えるステップと、
を備えたことを特徴とする配送物のフィルタリング方法。
【請求項１４】
差出人端末と、配送情報検出装置と、受取人端末と、配送管理端末と、配送管理サーバとからなるシステムにおいて用いられる配送物のフィルタリング方法であって、
前記差出人端末が、差出人に関する情報に基づいて、配送情報を生成するステップと、
該配送情報を配送物に貼付された記録媒体に記録するステップと、
前記配送管理サーバおよび前記受取人端末に前記配送情報を送信するステップと、
前記配送情報検出装置が、前記配送物に貼付された記録媒体から配送情報を読み出すステップと、
該読取った配送情報を前記配送管理サーバに送信するステップと、
前記配送管理サーバが、前記配送情報と配送の許可あるいは不許可情報とを関連づけて記憶する管理テーブルを有し、前記配送管理端末から受信した配送情報を該管理テーブルと照合して配送管理情報を前記配送管理端末に送信するステップと、
前記配送管理端末が、前記配送管理サーバから受信した前記配送管理情報に基づいて配送物の配送を制御するステップと、
前記受取人端末が、前記送信者端末から前記配送情報を受信するステップと、
前記配送物に貼付された記録媒体から前記配送情報を読み取るステップと、
該読取った配送情報および受信した配送情報に基づいて、前記配送物が不要な配送物であったときに、前記配送管理サーバに配送不要情報を送信するステップと、
前記配送管理サーバが、前記受取人端末から受信した情報に基づいて、前記管理テーブルの情報を書き換えるステップと、
を備えたことを特徴とする配送物のフィルタリング方法。
【発明の詳細な説明】
【技術分野】
【０００１】
本発明は、フィルタリングシステムに関し、特に、郵便物の差出および受け取りに関して郵便物のフィルタリングを行うフィルタリングシステム、フィルタリング方法およびこのフィルタリングシステムに用いられる通信端末に関する。
【背景技術】
【０００２】
従来から、葉書や封書などの形態で主に文書を相手先（以下、受取人という）に配達する制度として郵便システムが広く用いられている。この郵便システムにおいては、例えば封書の場合、差出しの際に、差出人と受取人の両者の住所、氏名及び郵便番号が明記されて料金分の切手が貼付けられた封書が郵便ポストに投函され、この封書が、管轄の郵便局において集配された後、幾つかの郵便局を介して所望の受取人に配達される。
【０００３】
こうした従来の郵便システムにおいては、郵便物を配達するために必要な最低限の情報としては、受取人の住所と氏名が明確であればよく、逆に言えば、差出人の住所や氏名を明記しなくても郵便物が受取人に配達されてしまうため、差出人不明の郵便物により、受取人に過度の不安感等を与えるという問題があった。
【０００４】
こうした問題に対して、郵便物を受取人に配達する際に、受取人側の要求により、郵便物の差出人に関する正当性を判断するために、２次元バーコード等を郵便物に貼付して、郵便物を配達するシステムが提案されている（例えば、特許文献１参照）。
【特許文献１】特開２００３−２９６４１２号公報
【発明の開示】
【発明が解決しようとする課題】
【０００５】
上記の従来技術によれば、差出人の住所や氏名あるいはバイオメトリクス情報を用いて、２次元バーコード等を生成し、これを郵便物に貼付等することにより、受取人が郵便物を受け取る際に、差出人の正当性を確認することも可能である。また、２次元バーコード等に郵便物の撮影データや物理量データを盛り込むことによって、郵便物のすり替えについても対応可能である。しかしながら、上記の従来技術では、差出人の正当性さえ確認できれば、悪意のある郵便物や本来不要なダイレクトメール等であっても受取人側に届いてしまうという問題点があった。
【０００６】
そこで、本発明は上記事情に鑑みてなされたものであり、たとえ差出人の正当性が確認できた場合であっても、悪意のある郵便物や本来不要なダイレクトメール等が受取人に配達されることを防止するフィルタリングシステム、フィルタリング方法およびフィルタリングシステムに用いられる通信端末を提供することを目的とする。
【課題を解決するための手段】
【０００７】
上記問題点を解決するために本発明は、以下の事項を提案している。
請求項１に係る発明は、差出人端末と、受取人端末と、配送管理端末と、配送管理サーバとからなる配送物のフィルタリングシステムであって、前記差出人端末が、差出人に関する情報に基づいて、配送情報を生成する配送情報生成手段と、該配送情報を配送物に貼付された記録媒体に記録する配送情報記録手段と、前記配送管理サーバに前記配送情報を送信する配送情報送信手段とを備え、前記配送管理サーバが、前記配送情報と配送の許可あるいは不許可情報とを関連づけて記憶する管理テーブルと、前記配送管理端末から受信した配送情報を該管理テーブルと照合して配送管理情報を送信する配送管理情報送信手段と、前記受取人端末から受信した情報に基づいて、前記管理テーブルの情報を書き換えるテーブル情報書換手段とを備え、前記受取人端末が、前記配送物に貼付された記録媒体から前記配送情報を読み取る読取手段と、前記配送物が不要な配送物であったときに、前記配送管理サーバに配送不要情報を送信する配送不要情報送信手段とを備え、前記配送管理端末が、前記配送物に貼付された記録媒体から前記配送情報を読み取る読取手段と、該読取った配送情報を前記配送管理サーバに送信する読取情報送信手段と、前記配送管理サーバから受信した前記配送管理情報に基づいて配送物の配送の是非を表示する配送是非表示手段，もしくは，前記配送管理サーバから受信した前記配送管理情報に基づいて配送物に貼付された記録媒体に記録する配送是非記録手段とを備えたことを特徴とする配送物のフィルタリングシステムを提案している。
【０００８】
請求項２に係る発明は、差出人端末と、受取人端末と、配送管理端末と、配送管理サーバとからなる配送物のフィルタリングシステムであって、前記差出人端末が、差出人に関する情報に基づいて、配送情報を生成する配送情報生成手段と、該配送情報を配送物に貼付された記録媒体に記録する配送情報記録手段と、前記配送管理サーバおよび前記受取人端末に前記配送情報を送信する配送情報送信手段とを備え、前記配送管理サーバが、前記配送情報と配送の許可あるいは不許可情報とを関連づけて記憶する管理テーブルと、前記配送管理端末から受信した配送情報を該管理テーブルと照合して配送管理情報を送信する配送管理情報送信手段と、前記受取人端末から受信した情報に基づいて、前記管理テーブルの情報を書き換えるテーブル情報書換手段とを備え、前記受取人端末が、前記送信者端末から前記配送情報を受信する配送情報受信手段と、前記配送物に貼付された記録媒体から前記配送情報を読み取る読取手段と、該読取った配送情報および受信した配送情報に基づいて前記配送物の配送の是非の入力を受け付ける配送物受取入力手段と、該配送の是非を前記配送管理サーバに配送の是非を送信する配送是非送信手段と、前記配送管理端末が、前記配送物に貼付された記録媒体から前記配送情報を読み取る読取手段と、該読取った配送情報を前記配送管理サーバに送信する読取情報送信手段と、前記配送管理サーバから受信した前記配送管理情報に基づいて配送物の配送の是非を表示する配送是非表示手段、もしくは，前記配送管理サーバから受信した前記配送管理情報に基づいて配送物に貼付された記録媒体に記録する配送是非記録手段とを備えたことを特徴とする配送物のフィルタリングシステムを提案している。
【０００９】
請求項３に係る発明は、差出人端末と、配送情報検出装置と、受取人端末と、配送管理端末と、配送管理サーバとからなる配送物のフィルタリングシステムであって、前記差出人端末が、差出人に関する情報に基づいて、配送情報を生成する配送情報生成手段と、該配送情報を配送物に貼付された記録媒体に記録する配送情報記録手段と、前記配送管理サーバに前記配送情報を送信する配送情報送信手段とを備え、前記配送情報検出装置が、前記配送物に貼付された記録媒体から前記配送情報を読み出す配送情報読出手段と、該読み出した配送情報を前記配送管理サーバに送信する読出情報送信手段とを備え、前記配送管理サーバが、前記配送情報と配送の許可あるいは不許可情報とを関連づけて記憶する管理テーブルと、前記配送情報検出装置から受信した前記配送情報を該管理テーブルと照合して配送管理情報を前記配送管理端末に送信する配送管理情報送信手段と、前記受取人端末から受信した情報に基づいて、前記管理テーブルの情報を書き換えるテーブル情報書換手段とを備え、前記受取人端末が、前記配送物に貼付された記録媒体から前記配送情報を読み取る読取手段と、前記配送物が不要な配送物であったときに、前記配送管理サーバに配送不要情報を送信する配送不要情報送信手段とを備え、前記配送管理端末が、前記配送管理サーバから受信した前記配送管理情報に基づいて配送物の配送の是非を表示する配送是非表示手段、もしくは、前記配送管理サーバから受信した前記配送管理情報に基づいて配送物に貼付された記録媒体に記録する配送是非記録手段とを備えたことを特徴とする配送物のフィルタリングシステムを提案している。
【００１０】
請求項４に係る発明は、差出人端末と、配送情報検出装置と、受取人端末と、配送管理端末と、配送管理サーバとからなる配送物のフィルタリングシステムであって、前記差出人端末が、差出人に関する情報に基づいて、配送情報を生成する配送情報生成手段と、該配送情報を配送物に貼付された記録媒体に記録する配送情報記録手段と、前記配送管理サーバおよび前記受取人端末に前記配送情報を送信する配送情報送信手段とを備え、前記配送情報検出装置が、前記配送物に貼付された記録媒体から前記配送情報を読み出す配送情報読出手段と、該読み出した配送情報を前記配送管理サーバに送信する読出情報送信手段とを備え、前記配送管理サーバが前記配送情報と配送の許可あるいは不許可情報とを関連づけて記憶する管理テーブルと、前記配送情報検出装置から受信した前記配送情報を該管理テーブルと照合して配送管理情報を送信する送信手段と、前記受取人端末から受信した情報に基づいて、前記管理テーブルの情報を書き換えるテーブル情報書換手段とを備え、前記受取人端末が、前記送信者端末から前記配送情報を受信する配送情報受信手段と、前記配送物に貼付された記録媒体から前記配送情報を読み取る読取手段と、該読取った配送情報および受信した配送情報に基づいて前記配送物の配送の是非の入力を受け付ける配送物受取入力手段と、該配送の是非を前記配送管理サーバに配送の是非を送信する配送是非送信手段と、前記配送管理端末が、前記配送管理サーバから受信した前記配送管理情報に基づいて配送物の配送の是非を表示する配送是非表示手段、もしくは、前記配送管理サーバから受信した前記配送管理情報に基づいて配送物に貼付された記録媒体に記録する配送是非記録手段とを備えたことを特徴とする配送物のフィルタリングシステムを提案している。
【００１１】
請求項５に係る発明は、請求項２または請求項４に記載された配送物のフィルタリングシステムについて、前記差出人端末が前記配送情報送信手段の送信を制御する送信制御手段をさらに備え、前記受取人端末から前記配送管理サーバに特定の差出人からの配送物に関して、すべての配送を停止するような情報が送信されたときには、前記送信管理サーバが前記特定の差出人に係る前記差出人端末の送信制御手段に配送情報の送信停止を指示することを特徴とする配送物のフィルタリングシステムを提案している。
【００１２】
請求項６に係る発明は、請求項３または請求項４に記載された配送物のフィルタリングシステムについて、前記配送情報検出装置が、郵便ポスト内に設けられていることを特徴とする配送物のフィルタリングシステムを提案している。
【００１３】
請求項７に係る発明は、請求項１から請求項６のいずれかに記載された配送物のフィルタリングシステムについて、前記差出人端末が携帯電話端末であることを特徴とする配送物のフィルタリングシステムを提案している。
【００１４】
請求項８に係る発明は、請求項１から請求項６のいずれかに記載された配送物のフィルタリングシステムについて、前記受取人端末が携帯電話端末であることを特徴とする配送物のフィルタリングシステムを提案している。
【００１５】
請求項９に係る発明は、少なくとも差出人端末と、受取人端末とからなる配送物のフィルタリングシステムに用いられる通信端末であって、該通信端末の加入者識別情報に基づいて配送情報を生成する配送情報生成手段と、該配送情報を配送物に貼付された記録媒体に記録する配送情報記録手段と、該配送情報を前記受取人端末に送信する送信手段とを備えたことを特徴とする通信端末を提案している。
【００１６】
請求項１０に係る発明は、少なくとも差出人端末と、受取人端末と、配送管理サーバとからなる配送物のフィルタリングシステムに用いられる通信端末であって、前記差出人端末から配送情報を受信する受信手段と、該受信した配送情報に基づいて、配送物の受領の是非を判断する判断手段と、該判断の結果を前記配送管理サーバに送信する送信手段とを備えたことを特徴とする通信端末を提案している。
【００１７】
請求項１１に係る発明は、差出人端末と、受取人端末と、配送管理端末と、配送管理サーバとからなるシステムにおいて用いられる配送物のフィルタリング方法であって、前記差出人端末が、差出人に関する情報に基づいて、配送情報を生成するステップと、該配送情報を配送物に貼付された記録媒体に記録するステップと、前記配送管理サーバに前記配送情報を送信するステップと、前記配送管理端末が、前記配送物に貼付された記録媒体から前記配送情報を読み取るステップと、該読取った配送情報を前記配送管理サーバに送信するステップと、前記配送管理サーバが、前記配送情報と配送の許可あるいは不許可情報とを関連づけて記憶する管理テーブルを有し、前記配送管理端末から受信した前記配送情報を該管理テーブルと照合して配送管理情報を前記配送管理端末に送信するステップと、前記配送管理端末が、前記配送管理サーバから受信した前記配送管理情報に基づいて配送物の配送を制御するステップと、前記受取人端末が、前記配送物に貼付された記録媒体から前記配送情報を読み取るステップと、前記配送物が不要な配送物であったときに、前記配送管理サーバに配送不要情報を送信するステップと、前記配送管理サーバが、前記受取人端末から受信した情報に基づいて、前記管理テーブルの情報を書き換えるステップと、を備えたことを特徴とする配送物のフィルタリング方法を提案している。
【００１８】
請求項１２に係る発明は、差出人端末と、受取人端末と、配送管理端末と、配送管理サーバとからなるシステムに用いられる配送物のフィルタリング方法であって、前記差出人端末が、差出人に関する情報に基づいて、配送情報を生成するステップと、該配送情報を配送物に貼付された記録媒体に記録するステップと、前記配送管理サーバおよび前記受取人端末に前記配送情報を送信するステップと、前記配送管理端末が、前記配送物に貼付された記録媒体から前記配送情報を読み取るステップと、該読取った配送情報を前記配送管理サーバに送信するステップと、前記配送管理サーバが、前記配送情報と配送の許可あるいは不許可情報とを関連づけて記憶する管理テーブルを有し、前記配送管理端末から受信した前記配送情報を該管理テーブルと照合して配送管理情報を前記配送管理端末に送信するステップと、前記配送管理端末が、前記配送管理サーバから受信した前記配送管理情報に基づいて配送物の配送を制御するステップと、前記受取人端末が、前記送信者端末から前記配送情報を受信するステップと、前記配送物に貼付された記録媒体から前記配送情報を読み取るステップと、前記受信した配送情報および読取った配送情報から、配送された前記配送物が不要な配送物であったときに、前記配送管理サーバに配送不要情報を送信するステップと、前記配送管理サーバが、前記受取人端末から受信した情報に基づいて、前記管理テーブルの情報を書き換えるステップとを備えたことを特徴とする配送物のフィルタリング方法を提案している。
【００１９】
請求項１３に係る発明は、差出人端末と、配送情報検出装置と、受取人端末と、配送管理端末と、配送管理サーバとからなるシステムにおいて用いられる配送物のフィルタリング方法であって、前記差出人端末が、差出人に関する情報に基づいて、配送情報を生成するステップと、該配送情報を配送物に貼付された記録媒体に記録するステップと、前記配送管理サーバに前記配送情報を送信するステップと、前記配送情報検出装置が、前記配送物に貼付された記録媒体から配送情報を読み出すステップと、該読取った配送情報を前記配送管理サーバに送信するステップと、前記配送管理サーバが、前記配送情報と配送の許可あるいは不許可情報とを関連づけて記憶する管理テーブルを有し、前記配送管理端末から受信した配送情報を該管理テーブルと照合して配送管理情報を前記配送管理端末に送信するステップと、前記配送管理端末が、前記配送管理サーバから受信した前記配送管理情報に基づいて配送物の配送を制御するステップと、前記受取人端末が、前記配送物に貼付された記録媒体から前記配送情報を読み取るステップと、前記配送物が不要な配送物であったときに、前記配送管理サーバに配送不要情報を送信するステップと、前記配送管理サーバが、前記受取人端末から受信した情報に基づいて、前記管理テーブルの情報を書き換えるステップとを備えたことを特徴とする配送物のフィルタリング方法を提案している。
【００２０】
請求項１４に係る発明は、差出人端末と、配送情報検出装置と、受取人端末と、配送管理端末と、配送管理サーバとからなるシステムにおいて用いられる配送物のフィルタリング方法であって、前記差出人端末が、差出人に関する情報に基づいて、配送情報を生成するステップと、該配送情報を配送物に貼付された記録媒体に記録するステップと、前記配送管理サーバおよび前記受取人端末に前記配送情報を送信するステップと、前記配送情報検出装置が、前記配送物に貼付された記録媒体から配送情報を読み出すステップと、  該読取った配送情報を前記配送管理サーバに送信するステップと、前記配送管理サーバが、前記配送情報と配送の許可あるいは不許可情報とを関連づけて記憶する管理テーブルを有し、前記配送管理端末から受信した配送情報を該管理テーブルと照合して配送管理情報を前記配送管理端末に送信するステップと、前記配送管理端末が、前記配送管理サーバから受信した前記配送管理情報に基づいて配送物の配送を制御するステップと、前記受取人端末が、前記送信者端末から前記配送情報を受信するステップと、前記配送物に貼付された記録媒体から前記配送情報を読み取るステップと、該読取った配送情報および受信した配送情報に基づいて、前記配送物が不要な配送物であったときに、前記配送管理サーバに配送不要情報を送信するステップと、前記配送管理サーバが、前記受取人端末から受信した情報に基づいて、前記管理テーブルの情報を書き換えるステップとを備えたことを特徴とする配送物のフィルタリング方法を提案している。
【発明の効果】
【００２１】
本発明によれば、受取人が不要と判断したダイレクトメールやその他の郵便物を含む配送物を送る差出人の情報を配送管理サーバ内の管理テーブルに追加登録することにより、それ以後の不要な配送物の受取を遮断することができるため、受取人の不必要な手間を軽減することができるという効果がある。
【００２２】
また、本発明によれば、受取人が信頼する差出人の情報のみを配送管理サーバ内の管理テーブルに配送許可リストとして登録することにより、受取人にとって必要な配送物のみを受け取ることができるため、受取人の不必要な手間を軽減することができるという効果がある。
【発明を実施するための最良の形態】
【００２３】
以下、図１から図１５を用いて、本発明の実施形態について詳細に説明する。なお、本発明の実施形態としては、配送物として郵便物を例にとって説明する。
本発明の第１の実施形態に係る配送物のフィルタリングシステムは、差出人Ｓから差し出された郵便物ｍが受取人Ｒに受領されると、受領した郵便物ｍの内容に応じて、受取人Ｒが郵便局Ｙ内に設けられた配送管理サーバＨ内に格納されている管理テーブルＬに差出人Ｓの情報を登録することにより、これ以降の郵便物の配送を管理するものである。
【００２４】
具体的には、本発明の第１の実施形態に係る配送物のフィルタリングシステムは、図１に示すように、差出人端末１と、配送管理端末２と、受取人端末３と、配送管理サーバ４と、ネットワーク１０とから構成されている。
【００２５】
差出人端末１は、例えば、携帯電話機であって、差出人に関する情報等から配送情報を生成して、この情報を郵便物ｍに貼付された、例えば、ＲＦＩＤタグに記録するとともに、生成した情報をネットワーク１０を介して、配送管理サーバ４や受取人端末３に送信する。具体的な構成は、図２に示すように、情報入力部１１と、配送情報生成部１２と、タグライター１３と、送受信部１４とから構成されている。
【００２６】
ここで、情報入力部１１は、郵便物ｍのあて先や受取人Ｒの氏名、差出人Ｓの住所、氏名、差出人Ｓの個人識別情報（例えば、指紋や虹彩、携帯電話機の固有ＩＤ、保健証番号、運転免許証番号等）を入力し、これらの情報を配送情報生成部１２に出力する。配送情報生成部１２は、情報入力部１１から入力した情報に基づいて、配送情報として一意の文字列データｓｒｉと、暗号配送情報としてメッセージダイジェスト（例えば、ＭＤ５、ＳＨＡ−１）を利用したｅｓｒｉをそれぞれ生成する。
【００２７】
タグライター１３は、配送情報生成部１２において生成された暗号配送情報ｅｓｒｉを入力し、この情報を郵便物ｍに貼付されたＲＦＩＤタグに書き込む。送受信部１４は、配送情報生成部１２において生成された配送情報ｓｒｉを入力し、この情報を郵便局Ｙ内に設けられた配送管理サーバ４に送信する。
【００２８】
配送管理端末２は、例えば、携帯通信端末あるいはＰＣ（Personal Computer）であって、差出人Ｓから配送された郵便物ｍに貼付されたＲＦＩＤタグから情報を読み取り、この情報をネットワーク１０を介して、配送管理サーバ４に送信するとともに、配送管理サーバ４から送信される配送管理情報に基づいて、郵便物mの指定された受取人Ｒへの配送是非の表示、もしくは、郵便物mに貼付されたＲＦＩＤタグへの配送是非情報の記録を行う。具体的な構成は、図４に示すように、タグリーダライタ３１と、配送管理部３２と、送受信部３３と、表示部３４とから構成されている。
【００２９】
ここで、タグリーダライタ３１は、差出人Ｓから配送された郵便物ｍに貼付されたＲＦＩＤタグから暗号配送情報ｅｓｒｉを読み取り、この情報を配送管理部３２に出力するとともに、配送管理部３２から入力する配送管理サーバ４からの配送管理情報を、差出人Ｓから配送された郵便物mに貼付されたＲＦＩＤタグへ書き込む。配送管理部３２は、入力した配送情報ｓｒｉを送受信部３３に出力するとともに、送受信部３３から入力する配送管理サーバ４からの配送管理情報に基づいて、表示部３４に郵便物mの配送の是非を表示、もしくは、タグリーダライタ３１へ出力する。送受信部３３は、暗号配送情報ｅｓｒｉをネットワーク１０を介して配送管理サーバ４に送信するとともに、配送管理サーバ４から送信される配送管理情報を受信する。表示部３４は、配送管理部３２から入力する配送管理サーバ４からの配送管理情報に基づき郵便物mの配送の是非を表示する。
【００３０】
受取人端末３は、例えば、携帯電話機であって、郵便物ｍに貼付されたＲＦＩDタグの情報を読み取り配送管理サーバの配送情報を参照することにより差出人Ｓの情報を取得して、配送された郵便物ｍの受取の是非の判断を受取人に求め、郵便物ｍの受取を今後拒否する場合には、この差出人Ｓに関する情報を配送管理サーバ４に送信して、その旨を管理テーブルに登録する。具体的な構成は、図３に示すように、タグリーダ２１と、受取判断受信部２２と、送受信部２３とから構成されている。
【００３１】
ここで、タグリーダ２１は、郵便局Ｙから配送された郵便物ｍに貼付されたＲＦＩＤタグから暗号配送情報ｅｓｒｉを読み取り、送受信部２２に出力する。送受信部２２は、読取った暗号配送情報ｅｓｒｉ、受取拒否情報を入力すると、この情報を配送管理サーバ４に送信する。配送情報ｓｒｉを入力すると、受取判断受信部へこの情報を出力する。配送管理サーバ４は暗号配送情報ｅｓｒｉを入力すると、配送情報の照合を行い配送情報ｓｒｉを送信する。受取拒否情報を入力すると管理テーブルＬにこの情報を登録する。受取判断受信部２３は、配送情報ｓｒｉを入力すると、この情報に基づいて、今後，同様の郵便物ｍに対して受取の是非の判断を受取人に求め、今後，同様の郵便物ｍを受け取らない入力を得たときには、受取拒否の情報を生成して、これを送受信部２２に出力する。
【００３２】
配送管理サーバ４は、配送情報ｓｒｉと配送可否情報とを関連づけて記憶する管理テーブルＬを格納し、受信情報を管理テーブル内の情報と照合することにより、郵便物ｍの配送の可否を判断する。具体的な構成は、図５に示すように、受信部４１と、配送管理情報生成部４２と、送信部４３と、管理テーブル４４とから構成されている。
【００３３】
受信部４１は、差出人端末１からの配送情報ｓｒｉ、配送管理端末２からの暗号配送情報ｅｓｒｉや受取人端末３からの受取拒否情報を受信する。配送管理情報生成部４２は、差出人端末１から受信した配送情報ｓｒｉおよび受取人端末３から受信した受取拒否情報等に基づいて、管理テーブル４４を作成するとともに、配送管理端末２から受信した暗号配送情報ｅｓｒｉと管理テーブル４４内の情報を照合して配送管理情報を生成する。そして、受取人端末３から受信した暗号配送情報ｅｓｒｉに基づいて、管理テーブル４４の情報との照合を行い、配送情報ｓｒｉを送信部４３を介して、受取人端末３へ送信する。配送管理情報は送信部４３を介して、配送管理端末２に送信する。送信部４３は、配送管理情報生成部４２から配送管理情報を入力すると、この情報を配送管理端末２に送信する。配送管理情報生成部４２から配送情報ｓｒｉを入力すると、この情報を受取人端末３へ送信する。
【００３４】
管理テーブル４４は、図８に示すように、例えば、配送情報と、差出人の氏名、住所、差出人Ｓの個人識別情報、受取人の氏名、住所、配送状況、現在の場所等が関連付けられた配送情報リストと、図９に示すように、例えば、差出人氏名、住所、差出人Ｓの個人識別情報と配送管理情報とが関連付けられ配送管理リストとから構成されている。なお、配送情報リストは、差出人端末１から受信部４１が受信した配送情報ｓｒｉによって生成され、配送管理リストは、配送情報リストと、受取人端末３とから受信した受取拒否情報等に基づいて生成される。
【００３５】
次に、図７を用いて、本実施形態における処理の流れを説明する。
まず、郵便物ｍの差出人Ｓは、差出人端末１に差出人等に関する所定の情報を入力して配送情報ｓｒｉを生成し、生成した配送情報ｓｒｉからメッセージダイジェストを利用して暗号配送情報ｅｓｒｉを取得し、郵便物ｍに貼付されているＲＦＩＤタグにこの情報を記録した後、郵便ポスト等に郵便物ｍを投函して発送する（ステップ１）。また、生成された配送情報ｓｒｉは、ネットワーク１０の暗号化された通信路（例えばＳＳＬ）を介して、配送管理サーバ４に送信される（ステップ２）。
【００３６】
差出人端末１から配送情報ｓｒｉを受信した配送管理サーバ４は、受信した配送情報ｓｒｉに基づいて、データを作成して、管理テーブル４４に情報を登録する（ステップ３）。次に、郵便物ｍが郵便局Ｙに集配されると、配送管理端末２を用いて、郵便物ｍに貼付されているＲＦＩＤタグから暗号配送情報ｅｓｒｉが読み出される（ステップ４）。読み出された暗号配送情報ｅｓｒｉは、配送管理サーバ４に送信される。暗号配送情報ｅｓｒｉを受信した配送管理サーバ４は、受信した暗号配送情報ｅｓｒｉを管理テーブル４４内の情報と照合して（ステップ５）、配送管理情報を生成した後、この情報を配送管理端末２に送信する（ステップ６）。
【００３７】
配送管理情報を受信した配送管理端末２は、配送管理情報に基づいて、郵便物ｍの処理を行う。仕分けを手作業で行っている場合は、当該郵便物ｍが配送可の郵便物であれば、郵便物ｍの配送を行うよう表示部３４に出力し、仕分け員はそれに従い処理を行う。当該郵便物ｍが配送不可の郵便物であれば、配送不可の旨を表示部３４に出力し、仕分け員は差出人に送り返す等の処置を行う。仕分けをＲＦＩＤタグを利用した機械等で行っている場合は、配送管理情報に基づいて、ＲＦＩＤタグに配送可、配送不可の情報を書き込み、その情報を使用し、仕分け作業を行う。なお、所定の受取人に初めて配送される郵便物の場合には、管理テーブル４４内の配送管理リストに、郵便物ｍの受取の可否を示す情報が記載されていないため、そのような郵便物ｍは、配送処理される。
【００３８】
郵便局Ｙにおいて配送処理された郵便物ｍは、受取人のもとに配送される。受取人は、郵便物ｍを受け取ると、まず、郵便物ｍに貼付されているＲＦＩＤタグから暗号配送情報ｅｓｒｉを読み取る（ステップ７）。その読取った暗号配送情報ｅｓｒｉは配送管理サーバへ送信され、管理テーブルと照合した配送情報ｓｒｉを取得する。その情報から差出人を確認し（ステップ８）、不要な郵便物である場合には、受取拒否情報を生成して、この情報を配送管理サーバ４に送信する。受取拒否情報を受信した配送管理サーバ４は、対応する管理テーブル４４内の情報に受信した受取拒否情報を登録する（ステップ９）。
【００３９】
以上、本実施形態によれば、受取人が不要と判断したダイレクトメールやその他の郵便物を含む配送物を送る差出人の情報を配送管理サーバ内の管理テーブルに追加登録することにより、それ以後の不要な配送物の受取を遮断することができるため、受取人の不必要な手間を軽減することができる。
【００４０】
次に、図１０および図１１を用いて、本発明の第２の実施形態について説明する。
第２の実施形態は、第１の実施形態に対して、差出人端末１から受取人端末３に直接、配送情報ｓｒｉが送信される構成になっている。
【００４１】
具体的には、受取人端末３内の送受信部２２は、差出人端末１から直接配送情報ｅｓｒｉを受信し、配送管理サーバ４へ送信し、管理テーブル４４内の情報と照合し、配送情報ｓｒｉを取得する。この情報を受取判断受信部２３に出力する。受取判断受信部２３は、入力した情報に基づいて、今後、同様の郵便物ｍに対して、その受取の是非の判断を差出人に求める。判断の結果、今後、同様の郵便物ｍを受け取らないときには、受取拒否情報を生成し、この情報を送受信部２２を介して、配送管理サーバ４に送信することにより、管理テーブルにこの情報を登録する。
【００４２】
次に、第２の実施形態における処理について図１１を用いて説明する。
まず、郵便物ｍの差出人Ｓは、差出人端末１に差出人等に関する所定の情報を入力して配送情報ｓｒｉを生成し、生成した配送情報ｓｒｉからメッセージダイジェストを利用し、暗号配送情報ｅｓｒｉを取得し郵便物ｍに貼付されているＲＦＩＤタグに記録した後、郵便ポスト等に郵便物ｍを投函して発送する（ステップ１１）。また、生成された配送情報ｓｒｉは、ネットワーク１０を介して、配送管理サーバ４に送信される（ステップ１２）。差出人端末１から配送情報ｓｒｉを受信した配送管理サーバ４は、受信した配送情報ｓｒｉに基づいて、データを作成して、管理テーブル４４に情報を登録する（ステップ１３）。
【００４３】
その一方で、差出人端末１は、受取人端末３に対しても生成した暗号配送情報ｅｓｒｉをネットワーク１０を介して送信する（ステップ１４）。差出人端末１から暗号配送情報ｅｓｒｉを受信した受取人端末３は、暗号配送情報ｅｓｒｉを検出することにより、その情報を配送管理サーバへ送信し、管理テーブルと照合し、配送情報ｓｒｉを取得する。その情報から差出人を確認して、郵便物ｍの配送を拒否する場合には、受取拒否情報を生成して、この情報を配送管理サーバ４に送信する。受取拒否情報を受信した配送管理サーバ４は、対応する管理テーブル４４内の情報に受信した受取拒否情報を登録する（ステップ１５、１６）。
【００４４】
次に、郵便物ｍが郵便局Ｙに集配されると、配送管理端末２を用いて、郵便物ｍに貼付されているＲＦＩＤタグから暗号配送情報ｅｓｒｉが読み出される（ステップ１７）。読み出された暗号配送情報ｅｓｒｉは、配送管理サーバ４に送信される。暗号配送情報ｅｓｒｉを受信した配送管理サーバ４は、受信した暗号配送情報ｅｓｒｉを管理テーブル４４内の情報と照合して（ステップ１６）、配送管理情報を生成した後、この情報を配送管理端末２に送信する（ステップ１８）。
【００４５】
配送管理情報を受信した配送管理端末２は、配送管理情報に基づいて、郵便物ｍの処理を行う。仕分けを手作業で行っている場合は、当該郵便物ｍが配送可の郵便物であれば、郵便物ｍの配送を行うよう表示部３４に出力し、仕分け員はそれに従い処理を行う。当該郵便物ｍが配送不可の郵便物であれば、配送不可の旨を表示部３４に出力し、仕分け員は差出人に送り返す等の処置を行う（ステップ１９）。仕分けをＲＦＩＤタグを利用した機械等で行っている場合は、配送管理情報に基づいて、ＲＦＩＤタグに配送可、配送不可の情報を書き込み、その情報を使用し、仕分け作業を行う。
【００４６】
以上、本実施形態によれば、実際に郵便物が受取人に配送する前に、差出人端末から送信される暗号配送情報ｅｓｒｉに基づいて、受取不要と判断したダイレクトメールやその他の郵便物を含む配送物の配送を遮断することができるため、受取人の不必要な手間を軽減することができる。
【００４７】
次に、図１２および図１３を用いて、本発明の第３の実施形態について説明する。
第３の実施形態は、第１の実施形態に対して、配送情報を検出する配送情報検出装置５を付加した構成になっている。
【００４８】
配送情報検出装置５は、例えば、郵便ポスト内に備えられた装置であって、郵便物ｍが投函されると、その郵便物ｍに貼付されたＲＦＩＤタグから暗号配送情報ｅｓｒｉを自動的に読取るものである。具体的には、図６に示されるように、タグリーダ５１と、送信部５２とにより構成されている。
【００４９】
ここで、タグリーダ５１は、例えば、郵便ポストの投函口に近い場所に配置され、投函された郵便物ｍに貼付されたＲＦＩＤタグから暗号配送情報ｅｓｒｉを読み取り、これを送信部５２に出力する。送信部５２は、入力した暗号配送情報ｅｓｒｉを配送管理サーバ４に送信する。
【００５０】
次に、第３の実施形態における処理について図１３を用いて説明する。
まず、郵便物ｍの差出人Ｓは、差出人端末１に所定の情報を入力して配送情報ｓｒｉを生成し、生成した配送情報ｓｒｉからメッセージダイジェストを利用してｅｓｒｉを取得しを郵便物ｍに貼付されているＲＦＩＤタグに記録した後、郵便ポスト等に郵便物ｍを投函して発送する（ステップ２１）。また、生成された配送情報ｓｒｉは、ネットワーク１０の暗号化された通信路（例えば、ＳＳＬ）を介して、配送管理サーバ４に送信される（ステップ２２）。
【００５１】
配送情報検出装置５は、郵便物ｍが投函口を通過するときに、郵便物ｍに貼付されているＲＦＩＤタグから暗号配送情報ｅｓｒｉを読出し（ステップ２４）、この情報を配送管理サーバ４に送信する（ステップ２５）。一方、差出人端末１から暗号配送情報ｅｓｒｉを受信した配送管理サーバ４は、受信した暗号配送情報ｅｓｒｉに基づいて、データを作成して、管理テーブル４４に情報を登録する（ステップ２３）。
【００５２】
次に、暗号配送情報ｅｓｒｉを受信した配送管理サーバ４は、受信した暗号配送情報ｅｓｒｉを管理テーブル４４内の情報と照合して、配送管理情報を生成した後、この情報を配送管理端末２に送信する（ステップ２６）。
【００５３】
配送管理情報を受信した配送管理端末２は、配送管理情報に基づいて、郵便物ｍの処理を行う。仕分けを手作業で行っている場合は、当該郵便物ｍが配送可の郵便物であれば、郵便物ｍの配送を行うよう表示部３４に出力し、仕分け員はそれに従い処理を行う(ステップ２７)。当該郵便物ｍが配送不可の郵便物であれば、配送不可の旨を表示部３４に出力し、仕分け員は差出人に送り返す等の処置を行う。仕分けをＲＦＩＤタグを利用した機械等で行っている場合は、配送管理情報に基づいて、ＲＦＩＤタグに配送可、配送不可の情報を書き込み、その情報を使用し、仕分け作業を行う。
【００５４】
郵便局Ｙにおいて配送処理された郵便物ｍは、受取人Ｒのもとに配送される。受取人Ｒは、郵便物ｍを受け取ると、まず、郵便物ｍに貼付されているＲＦＩＤタグから暗号配送情報ｅｓｒｉを読み取る（ステップ２８）。その読取った暗号配送情報ｅｓｒｉは配送管理サーバへ送信され、管理テーブルと照合した配送情報ｓｒｉを取得する。その情報から差出人を確認し（ステップ２９）、不要な郵便物である場合には、受取拒否情報を生成して、この情報を配送管理サーバ４に送信する。受取拒否情報を受信した配送管理サーバ４は、対応する管理テーブル４４内の情報に受信した受取拒否情報を登録する（ステップ３０）。
【００５５】
以上、本実施形態によれば、受取人が不要と判断したダイレクトメールやその他の郵便物を含む配送物を送る差出人の情報を配送管理サーバ内の管理テーブルに追加登録することにより、それ以後の不要な配送物の受取を遮断することができるため、受取人の不必要な手間を軽減することができる。
【００５６】
次に、図１４および図１５を用いて、本発明の第４の実施形態について説明する。
第４の実施形態は、第２の実施形態にシステムに、第３の実施形態において説明した配送情報検出装置５を付加した構成になっている。
【００５７】
第４の実施形態における処理を図１５を用いて説明すると、まず、郵便物ｍの差出人Ｓは、差出人端末１に所定の情報を入力して配送情報ｓｒｉを生成し、生成した配送情報ｓｒｉからメッセージダイジェストを利用してｅｓｒｉを取得しを郵便物ｍに貼付されているＲＦＩＤタグに記録した後、郵便ポスト等に郵便物ｍを投函して発送する（ステップ３１）。また、生成された配送情報ｓｒｉは、ネットワーク１０の暗号化された通信路（例えば、ＳＳＬ）を介して、配送管理サーバ４に送信される（ステップ３２）。差出人端末１から配送情報ｓｒｉを受信した配送管理サーバ４は、受信した配送情報ｓｒｉに基づいて、データを作成して、管理テーブル４４に情報を登録する（ステップ３３）。
【００５８】
その一方で、差出人端末１は、受取人端末３に対しても生成した暗号配送情報ｅｓｒｉをネットワーク１０を介して送信する（ステップ３４）。差出人端末１から暗号配送情報ｅｓｒｉを受信した受取人端末３は、暗号配送情報ｅｓｒｉを確認して、その情報を配送管理サーバへ送信し、管理テーブルと照合し、配送情報ｓｒｉを取得する。その情報から郵便物ｍの配送を拒否する場合には、受取拒否情報を生成して、この情報を配送管理サーバ４に送信する。受取拒否情報を受信した配送管理サーバ４は、対応する管理テーブル４４内の情報に受信した受取拒否情報を登録する（ステップ３５、３６）。
【００５９】
配送情報検出装置５は、郵便物ｍが投函口を通過するときに、郵便物ｍに貼付されているＲＦＩＤタグから暗号配送情報ｅｓｒｉを読出し（ステップ３７）、この情報を配送管理サーバ４に送信する（ステップ３８）。暗号配送情報ｅｓｒｉを受信した配送管理サーバ４は、受信した暗号配送情報ｅｓｒｉを管理テーブル４４内の情報と照合して、配送管理情報を生成した後、この情報を配送管理端末２に送信する（ステップ３９）。
【００６０】
配送管理情報を受信した配送管理端末２は、配送管理情報に基づいて、郵便物ｍの処理を行う。仕分けを手作業で行っている場合は、当該郵便物ｍが配送可の郵便物であれば、郵便物ｍの配送を行うよう表示部３４に出力し、仕分け員はそれに従い処理を行う。当該郵便物ｍが配送不可の郵便物であれば、配送不可の旨を表示部３４に出力し、仕分け員は差出人に送り返す等の処置を行う。仕分けをＲＦＩＤタグを利用した機械等で行っている場合は、配送管理情報に基づいて、ＲＦＩＤタグに配送可、配送不可の情報を書き込み、その情報を使用し、仕分け作業を行う（ステップ４０）。
【００６１】
したがって、本実施形態によれば、実際に郵便物が受取人に配送する前に、差出人端末から送信される暗号配送情報ｅｓｒｉに基づいて、受取不要と判断したダイレクトメールやその他の郵便物を含む配送物の配送を遮断することができるため、受取人の不必要な手間を軽減することができる。また、受取人が不要と判断したダイレクトメールやその他の郵便物を含む配送物を送る差出人の情報を配送管理サーバ内の管理テーブルに追加登録することにより、それ以後の不要な配送物の受取を遮断することができるため、受取人の不必要な手間を軽減することができる。
【００６２】
以上、この発明の実施形態につき、図面を参照して詳述してきたが、具体的な構成はこの実施形態に限られるものではなく、この発明の要旨を逸脱しない範囲の設計等も含まれる。例えば、本実施形態においては、配送物の配送の是非を配送管理サーバで行ない、その結果を配送管理端末に通知することとしていたが、これに限らず、配送管理端末が配送管理サーバから管理テーブルをダウンロードして、独自に判断してもよい。また、配送情報検出装置に受信部と表示部を追加し、配送情報検出装置が配送管理サーバと通信を行い、暗号配信情報を利用し、配送不可を表示してもよい。 
【００６３】
また、本実施形態においては、配送物に貼付される記録媒体としてＲＦＩＤタグを例にとり、説明を行ったが、これに限らず、２次元バーコード等の記録媒体であってもよい。さらに、本実施形態においては、差出人端末および受取人端末として携帯電話機を例にとり説明を行ったが、これに限らず、ＰＤＡ等の通話機能を持たない通信端末であってもよい。
【図面の簡単な説明】
【００６４】
【図１】第１の実施形態に係るシステム構成図である。
【図２】差出人端末の構成ブロック図である。
【図３】受取人端末の構成ブロック図である。
【図４】配送管理端末の構成ブロック図である。
【図５】配送管理サーバの構成ブロック図である。
【図６】配送情報検出装置の構成ブロック図である。
【図７】第１の実施形態に係るシステムの処理フロー図である。
【図８】管理テーブル内の配送情報リストを例示した図である。
【図９】管理テーブル内の配送管理リストを例示した図である。
【図１０】第２の実施形態に係るシステム構成図である。
【図１１】第２の実施形態に係るシステムの処理フロー図である。
【図１２】第３の実施形態に係るシステム構成図である。
【図１３】第３の実施形態に係るシステムの処理フロー図である。
【図１４】第４の実施形態に係るシステム構成図である。
【図１５】第４の実施形態に係るシステムの処理フロー図である。
【符号の説明】
【００６５】
１・・・差出人端末、２・・・配送管理端末、３・・・受取人端末、４・・・配送管理サーバ、５・・・配送情報検出装置、１０・・・ネットワーク、１１・・・情報入力部、１２・・・配送情報生成部、１３・・・タグライター、１４・・・送受信部、２１、３１、５１・・・タグリーダ、２２・・・受取判断部、３２・・・配送管理部、２３、３３・・・送受信部、４１・・・受信部、４２・・・配送管理情報生成部、４３、５２・・・送信部、４４・・・管理テーブル、
【図１】
2006244346.tif 000003
【図２】
2006244346.tif 000004
【図３】
2006244346.tif 000005
【図４】
2006244346.tif 000006
【図５】
2006244346.tif 000007
【図６】
2006244346.tif 000008
【図７】
2006244346.tif 000009
【図８】
2006244346.tif 000010
【図９】
2006244346.tif 000011
【図１０】
2006244346.tif 000012
【図１１】
2006244346.tif 000013
【図１２】
2006244346.tif 000014
【図１３】
2006244346.tif 000015
【図１４】
2006244346.tif 000016
【図１５】
2006244346.tif 000017